(57)【特許請求の範囲】
【請求項１】
第１操作部を備えた第１筐体が第２筐体に対してスライド可能に接続された携帯電話機であって、
前記第２筐体に対して前記第１筐体がスライドしていない非スライド状態から、前記第２筐体に対して前記第１筐体がスライドしたスライド状態への遷移を検出するスライド状態検出手段と、
前記第１操作部において操作入力が行われている入力状態を検出する入力状態検出手段と、
電話網を介して他の電話機と通信する電話網通信手段と、
前記電話網通信手段が他の電話機からの着呼を受けた際に、前記スライド状態検出手段が前記非スライド状態から前記スライド状態への遷移を検出した場合、前記入力状態検出手段が前記入力状態を検出したとき、前記第１操作部からの操作入力を無効化する制御手段とを備え、
前記制御手段は、前記第１操作部からの操作入力を無効化した後に、さらに、前記入力状態検出手段が前記入力状態を検出しなくなった場合、前記電話網通信手段に前記着呼に応答する処理を実行させることを特徴とする携帯電話機。
【請求項２】
前記制御手段は、前記第１操作部からの操作入力を無効化した後に、さらに、前記スライド状態検出手段が前記スライド状態を検出しなくなった場合、前記電話網通信手段に前記着呼に対して着信拒否を行う処理を実行させることを特徴とする請求項１に記載の携帯電話機。
【請求項３】
第１操作部を備えた第１筐体が第２筐体に対してスライド可能に接続された携帯電話機の制御方法であって、
前記第２筐体に対して前記第１筐体がスライドしていない非スライド状態から、前記第２筐体に対して前記第１筐体がスライドしたスライド状態への遷移を検出するスライド状態検出ステップと、
前記第１操作部において操作入力が行われている入力状態を検出する入力状態検出ステップと、
電話網を介して他の電話機からの着呼を受けた際に、前記スライド状態検出ステップにて前記非スライド状態から前記スライド状態への遷移を検出した場合、前記入力状態検出ステップにて前記入力状態を検出したとき、前記第１操作部からの操作入力を無効化する無効化ステップと、
前記無効化ステップにて、前記第１操作部からの操作入力を無効化した後に、さらに、前記第１操作部において操作入力が行われている入力状態を検出しなくなった場合、前記着呼に応答する処理を実行するステップと、を含むことを特徴とする制御方法。
【請求項４】
請求項１または２に記載の携帯電話機を動作させるためのプログラムであって、コンピュータを上記の各手段として機能させるためのプログラム。
【発明の詳細な説明】
【技術分野】
【０００１】
本発明は、タッチパネル等を備えたスライド型の携帯電話機に関するものである。
【背景技術】
【０００２】
従来、タッチパネルやキー等の操作部を有する２つの筐体が、互いにスライド可能に重ね合わされたスライド型の携帯電話機が使用されている。このようなスライド型の携帯電話機では、タッチパネル等を備えた上方の筐体（第１筐体）を下方の筐体（第２筐体）に対してスライドさせてずらすことで、第２筐体の操作部が露出する構造になっている。そして、多くの場合、着呼を受けた際の操作として、第１筐体をスライドさせることで着呼に対して応答し、通話を開始する操作が採用されている。
【０００３】
ここで、本発明の先行技術として、以下のものがある。
【０００４】
特許文献１には、筐体を折りたたみ可能な携帯電話機において、着呼があった際に折りたたんである携帯電話機の筐体を開けることによって、着信に応答できるようにする発明が開示されている。
【０００５】
また、特許文献２には、筐体を伸縮状態（非スライド状態）から伸張状態（スライド状態）にした場合、着信拒否すべき相手であればオンフック状態を維持し、使用者に通話選択の判断機会を与えることが可能な通信端末装置が開示されている。
【０００６】
また、特許文献３には、２つの筐体によるスライド式携帯通信端末において、スライド中に各筐体の合わせ面におけるキーが不測に押されてしまったとき、誤動作しないようにする携帯端末が開示されている。
【先行技術文献】
【特許文献】
【０００７】
【特許文献１】特開平１    −  ８０１４５号公報（１９８９年３月２７日公開）
【特許文献２】特開２００３−１０１６１４号公報（２００３年４月  ４日公開）
【特許文献３】特開２００５−０５１４１７号公報（２００５年２月２４日公開）
【特許文献４】特開２００８−０８５９６８号公報（２００８年４月１０日公開）
【発明の概要】
【発明が解決しようとする課題】
【０００８】
従来のタッチパネルを備えたスライド型の携帯電話機では、それほど大型のタッチパネルは搭載されていなかった。そのため、第１筐体をスライドさせる際にも、タッチパネルに触れることなく第１筐体を指で押してスライドさせることができた。その結果、スライド操作によって着呼に応答する場合に、ユーザが意図しないでタッチパネルに触れてしまい、誤操作してしまうという問題は生じなかった。
【０００９】
しかしながら、近時タッチパネルが大型化してきた。そして、このような大型のタッチパネルを搭載したスライド型の携帯電話機では、第１筐体をスライドさせる際に、タッチパネルを指で押してスライドさせることが想定されている。その結果、スライド操作によって携帯電話機の着呼に応答する場合に、ユーザは単にスライドさせる意図でタッチパネルに触れるため、このときのタッチによって誤入力が生じないようにする必要がある。
【００１０】
本発明は、上記問題点に鑑みてなされたものであり、その目的は、タッチパネル等を用いたスライド型の携帯電話機において、ユーザがタッチパネル等をスライドさせる際に誤入力を防ぐことができる携帯電話機を実現することにある。
【課題を解決するための手段】
【００１１】
上記の課題を解決するために、本発明の携帯電話機は、第１操作部を備えた第１筐体が第２筐体に対してスライド可能に接続された携帯電話機であって、前記第２筐体に対して前記第１筐体がスライドしていない非スライド状態から、前記第２筐体に対して前記第１筐体がスライドしたスライド状態への遷移を検出するスライド状態検出手段と、前記第１操作部において操作入力が行われている入力状態を検出する入力状態検出手段と、電話網を介して他の電話機と通信する電話網通信手段と、前記電話網通信手段が他の電話機からの着呼を受けた際に、前記スライド状態検出手段が前記非スライド状態から前記スライド状態への遷移を検出した場合、前記入力状態検出手段が前記入力状態を検出したとき、前記第１操作部からの操作入力を無効化する制御手段とを備えることを特徴としている。
【００１２】
また、本発明の制御方法は、第１操作部を備えた第１筐体が第２筐体に対してスライド可能に接続された携帯電話機の制御方法であって、前記第２筐体に対して前記第１筐体がスライドしていない非スライド状態から、前記第２筐体に対して前記第１筐体がスライドしたスライド状態への遷移を検出するスライド状態検出ステップと、前記第１操作部において操作入力が行われている入力状態を検出する入力状態検出ステップとを含み、さらに、電話網を介して他の電話機からの着呼を受けた際に、前記スライド状態検出ステップにて前記非スライド状態から前記スライド状態への遷移を検出した場合、前記入力状態検出ステップにて前記入力状態を検出したとき、前記第１操作部からの操作入力を無効化する無効化ステップを含むことを特徴としている。
【００１３】
上記の構成によれば、電話網を介して他の電話機からの着呼を受けた際に、筐体がスライド状態にあるか否か、および、第１操作部に操作入力が行われている入力状態にあるか否かを検出し、第１操作部からの操作入力を無効化する。これによって、スライド構造を備えた携帯電話機において着信に対して応答する際に、ユーザが第１操作部を押さえて筐体をスライドさせることによる、第１操作部からの誤入力を防止することができる。
【００１４】
ここで、従来、タッチパネルを搭載したスライド型の携帯電話機では、筐体をスライドさせておらず、第1筐体が押し上げられていない状態（非スライド状態）では、タッチパネルからの操作入力を無効にしている。そして、筐体をスライドさせた、第１筐体が押し上げられている状態（スライド状態）になった場合に、タッチパネルからの操作入力を有効にしている。このようなスライド型の携帯電話機では、従来はタッチパネルの面積が小さかったため、タッチパネルを備えた第１筐体をスライドさせる際に、ユーザはタッチパネル以外の筐体部分を指で押すことで筐体をスライド状態にすることができた。
【００１５】
しかしながら、タッチパネルの面積を広げることによって、筐体の大部分もしくは全部を覆うように構成した場合、ユーザはタッチパネル部分を指で押さえることによって筐体をスライドさせることになる。そのため、上記従来のスライド型の携帯電話機における操作無効化技術を適用した場合には、筐体をスライドさせて、第１筐体が押し上げられた状態になったとき、タッチパネルへの操作入力が有効になってしまうので、ユーザによる筐体のスライド操作で、意図せぬ誤入力が起こってしまう。
【００１６】
これを防止するために、本発明では、電話網を介して他の電話機から着呼を受けた際に、スライド状態への遷移を検出した場合、入力状態を検出したとき、第１操作部からの操作入力を無効化することで、第１操作部から誤入力が入力されてしまうことを防止している。
【００１７】
上記の携帯電話機では、前記制御手段は、前記第１操作部からの操作入力を無効化した後に、さらに、前記入力状態検出手段が前記入力状態を検出しなくなった場合、前記電話網通信手段に前記着呼に応答する処理を実行させることを特徴としている。
【００１８】
上記の構成によれば、他の電話機からの着呼を受けた際に、スライド状態への遷移を検出した場合、入力状態を検出したとき、すなわち、ユーザが第１操作部を指で押さえて筐体をスライドさせた状態から、ユーザが第１操作部から指を離した場合に、着呼に応答する処理、具体的には、オフフック状態にして通話を開始するなどの処理を実行する。これによって、ユーザが筐体をスライドさせる際に第１操作部のどのような位置を触っても、第１操作部から指を離した時点で、着呼に応答する処理を確実に行うことができる。
【００１９】
上記の携帯電話機では、前記制御手段は、前記第１操作部からの操作入力を無効化した後に、さらに、前記スライド状態検出手段が前記スライド状態を検出しなくなった場合、前記電話網通信手段に前記着呼に対して着信拒否を行う処理を実行させることを特徴としている。
【００２０】
上記の構成によれば、第１操作部からの操作入力を無効化した後に、スライド状態から非スライド状態への遷移を検出した場合に、着信拒否を行う。すなわち、ユーザが第１操作部を指で押さえて筐体をスライドさせた状態から、ユーザが第１操作部を指で押さえて筐体を再び非スライド状態（スライド状態が検出されない状態）に戻した場合、現在、着呼を受けている相手から通話の着信拒否を行う処理を実行する。
【００２１】
これによって、ユーザが筐体をスライドさせる際に第１操作部のどのような位置を触っても、触れている間の第１操作部に対する入力を無効化しておき、筐体を元に戻した時点で、着呼に対して着信拒否する処理を確実に行うことができる。したがって、ユーザは電話番号の表示や着信音によって着信相手を確認したうえで、着呼に対して応答するか否かを筐体をスライドさせた状態のままで考慮した上で、着信拒否の処理を実行することができる。それゆえ、着信拒否を単純な操作で実行すると共に、筐体をスライドしていない通常の状態に戻すことができる。
【００２２】
なお、筐体の「非スライド状態」への変化による着信拒否を行う処理としては、留守番電話に切り換えたり、着信拒否用のメッセージを流したり、所定のメールを送信する処理などを行ってもよい。着呼した相手からの通話に応答せず、通話以外のその他の機能を実行する構成であれば、どのような処理であってもよい。また、着呼した通信相手の電話番号を自動的に着信拒否する電話番号のリストに追加してもよい。
【００２３】
なお、上記携帯電話機は、コンピュータによって実現してもよく、この場合には、コンピュータを上記各手段として動作させることにより上記携帯電話機をコンピュータにて実現させる携帯電話機の制御プログラム、およびそれを記録したコンピュータ読み取り可能な記録媒体も、本発明の範疇に入る。
【発明の効果】
【００２４】
本発明の携帯電話機は、第１操作部を備えた第１筐体が第２筐体に対してスライド可能に接続された携帯電話機であって、前記第２筐体に対して前記第１筐体がスライドしていない非スライド状態から、前記第２筐体に対して前記第１筐体がスライドしたスライド状態への遷移を検出するスライド状態検出手段と、前記第１操作部において操作入力が行われている入力状態を検出する入力状態検出手段と、電話網を介して他の電話機と通信する電話網通信手段と、前記電話網通信手段が他の電話機からの着呼を受けた際に、前記スライド状態検出手段が前記非スライド状態から前記スライド状態への遷移を検出した場合、前記入力状態検出手段が前記入力状態を検出したとき、前記第１操作部からの操作入力を無効化する制御手段とを備えている。
【００２５】
また、本発明の制御方法は、第１操作部を備えた第１筐体が第２筐体に対してスライド可能に接続された携帯電話機の制御方法であって、前記第２筐体に対して前記第１筐体がスライドしていない非スライド状態から、前記第２筐体に対して前記第１筐体がスライドしたスライド状態への遷移を検出するスライド状態検出ステップと、前記第１操作部において操作入力が行われている入力状態を検出する入力状態検出ステップとを含み、さらに、電話網を介して他の電話機からの着呼を受けた際に、前記スライド状態検出ステップにて前記非スライド状態から前記スライド状態への遷移を検出した場合、前記入力状態検出ステップにて前記入力状態を検出したとき、前記第１操作部からの操作入力を無効化する無効化ステップを含んでいる。
【００２６】
上記の構成によれば、スライド構造を備えた携帯電話機において着信に対して応答する際に、ユーザがタッチパネルで構成された第１操作部を押さえて筐体をスライドさせることで、第１操作部から誤入力が入力されてしまうことを防止することができるという効果を奏する。
【図面の簡単な説明】
【００２７】
【図１】本願発明の一実施形態を示すものであり、携帯電話機の主要部を示す機能ブロック図である。
【図２】上記携帯電話機のハードウェア構成の一例を示す概略図である。
【図３】上記携帯電話機の外観を示す図であり、図３（ａ）は非スライド状態（待受モード）における外観を示す図であり、図３（ｂ）はスライド状態（通話モード）における外観を示す図であり、（ｃ）は非スライド状態（待受モード）における側面図である。
【図４】上記携帯電話機で着呼があった場合に行う処理の流れを示すフローチャートである。
【発明を実施するための形態】
【００２８】
以下、本発明の一実施形態について、図１から図４に基づいて説明すると、以下のとおりである。なお、以下の説明では、図３のように、タッチパネルで構成された第１操作部が、第１筐体における表面の大部分もしくは全部を覆うように構成した場合の例を示すが、これに限るものではない。タッチパネルが第１筐体の一部しか覆っていない場合であっても、第１筐体を指で押さえてスライドさせる操作を行う際にタッチパネルに触れてしまい、誤入力が入力される可能性があるならば、本発明は有効である。また、本実施形態では、第１操作部はタッチパネルで構成されたものとして説明するが、第１筐体に設けられる入力デバイスは、スライド操作の際にユーザが触れて意図しない操作入力となる可能性があるものであればよく、タッチパネルの代わりに、例えばキーやダイアルが設けられていてもよい。
【００２９】
まず、図１〜図３を参照して、本実施形態の携帯電話機１０の基本的な構成について説明する。図１は、携帯電話機１０の主要部を示す機能ブロック図である。図２は、携帯電話機１０のハードウェア構成の一例を示す概略図である。図３は、携帯電話機１０の外観を示す図である。
【００３０】
図１に示すように、携帯電話機１０は、第１筐体１２および第２筐体１４が、スライド接続部１６を介してスライド可能に接続されている構成となっている。
【００３１】
第１筐体１２は、表示部２０および第１操作部２２を備えている。第２筐体１４は、第２操作部２４、音声入出力部２６、状態検出部（状態検出手段）２８、制御部（制御手段）３０、記憶部４０、および電話網通信部（電話網通信手段）５０を備えている。状態検出部２８は、さらに、スライド状態検出部（スライド状態検出手段）２７、および入力状態検出部（入力状態検出手段）２９を備えている。制御部３０は、さらに、ＣＰＵ３２、ＲＡＭ３４、およびＲＯＭ３６を内部に備えている（図２）。
【００３２】
なお、第１筐体１２および第２筐体１４内の各機能ブロックの配置は一例であり、音声入出力部２６、状態検出部２８、制御部３０、記憶部４０、および電話網通信部５０は、第１筐体および第２筐体の少なくともいずれか一方に配置されていればよい。
【００３３】
図１および図２に示すように、表示部２０は、液晶素子や有機ＥＬ（Elector Luminescence ）などで構成された表示パネルで構成され、制御部３０からの指示に基づいて各種画像やデータなどの表示を行う。第１操作部２２は、表示部２０全体を覆うように配置された、表示部２０の表示内容を透視可能なタッチパネルなどの操作入力デバイスで構成されており、状態検出部２８を介してユーザからの操作入力を制御部３０に入力する。なお、表示部２０および第１操作部２２は、入出力デバイスとして一体となって構成されていてもよい。
【００３４】
スライド接続部１６は、第１筐体１２および第２筐体１４をスライド可能に接続する接続器具である。スライド接続部１６は、金属やプラスチックなどのレールの組み合わせで構成され、第１筐体１２を第２筐体１４に対してずれた状態（以下、「スライド状態」と呼ぶ）で保持する機能を持っている。
【００３５】
なお、以下の説明では、図３（ａ）および図３（ｂ）に示すように、通話のための操作入力を行う第２操作部２４を備える側の短辺を携帯電話機１０の下側、反対側の短辺を上側と定義し、第１筐体１２が上側にずれた状態をスライド状態と定義している。つまり、図３（ａ）の状態は、非スライド状態であり、同図（ｂ）の状態がスライド状態である。
なお、図３（ａ）の状態から、図３（ｂ）の状態となるまでの中間状態（非スライド状態から、少しでもスライドされた状態）も含めてスライド状態と定義してもよい。
【００３６】
また、第１筐体１２が第２筐体１４に対してずれた状態であることを検知するために、上部および下部の対応する箇所に図示しない磁石および磁気センサが設けられている。なお、磁石および磁気センサを用いるかわりに、スイッチや接点、および、その他の各種センサを用いてもよい。
【００３７】
第２操作部２４は、第２筐体１４に配置された入力デバイスで、０〜９の数字キーや、＃、＊などの記号キー、着信、切断、メール、十字キーなどの機能ボタンなどで構成されている。また、第２操作部２４は、図３（ｂ）に示すように、タッチパネルなどで構成された第１操作部２２が配置される第１筐体１２を図面の上方向にスライドしてずらした状態（スライド状態）において、第１筐体１２の下から露出する構成となっている。
【００３８】
ここで、一般のスライド型携帯電話では、第１筐体１２の端に力をかけて第１筐体１２をスライドさせることが多い。
【００３９】
しかし、タッチパネルで構成された第１操作部２２が第１筐体１２上の大きな部分を占める場合、筐体同士をスライドさせるためにタッチパネルを触ることが自然である。そして、携帯電話機１０では、ユーザは通話の発信を行う際や他の機能の操作を行う際に、タッチパネル以外の数字キーなどの入力デバイスを用いる場合には、筐体をずらして第２操作部２４を露出させる。このとき、携帯電話機１０は、第１操作部２２のタッチパネルが大型であるため、ユーザは第１筐体１２をスライドさせる際に第１操作部２２のタッチパネルに触れる必要がある。
【００４０】
ここで、携帯電話機１０は、第１筐体１２をスライドさせる際に、タッチパネルによる入力機能が有効になる（以下、「入力状態」と呼ぶ）。このため、着呼があったときに、通話を開始する操作を行うために、第１筐体１２をスライドさせる際にも「入力状態」となる。
【００４１】
そして、本実施形態の携帯電話機１０は、このときに誤入力が発生しないように、後述のように、タッチパネルからの操作入力を無効化する。これにより、着呼があった際の「入力状態」による誤入力を防止している。
【００４２】
音声入出力部２６は、マイクやスピーカなどで構成された音声入出力用デバイスであり、携帯電話機１０の裏側面や、ユーザが携帯電話機を顔に近づけた際に口や耳にあたる場所に配置されている。なお、音声入出力部２６は、外部の音声入出力デバイスに接続するためのコネクタやインタフェースであってもよい。
【００４３】
状態検出部２８は、スライド接続部１６や第１操作部２２の状態を検出して、制御部３０に対して入力する。具体的には、スライド状態検出部２７は、第１筐体１２および第２筐体１４が互いにスライドして、第１筐体１２が第２筐体１４上において上向きに押し上げられている状態（つまりスライド状態）であるか否かを検出する。
【００４４】
入力状態検出部２９は、第１操作部２２からの操作入力が行われているか否かを検出する。スライド状態の場合には、状態検出部２８は、第１操作部２２からの操作入力を制御部３０に出力する。一方、第１筐体１２および第２筐体１４が互いにスライドしておらず、第１筐体１２が第２筐体１４上において上向きに押し上げられていない状態（つまり非スライド状態）の場合には、状態検出部２８は、第１操作部２２からの操作入力を基本的に受け付けず無効化している。
【００４５】
なお、非スライド状態であっても、所定のボタンを押した場合に第１操作部２２からの操作入力を有効にする機能を持たせてもよい。
【００４６】
制御部３０は、携帯電話機１０の各部の機能を制御する制御ユニットであり、内部にＣＰＵ３２、ＲＡＭ３４、およびＲＯＭ３６などを備えている（図２）。制御部３０は、第１操作部２２、第２操作部２４、音声入出力部２６、および状態検出部２８の入力を受けて各部を制御し、表示部２０に画面を表示させ、記憶部４０にデータを保存し、電話網通信部５０を介して他の端末に対して電話通信を行う。
【００４７】
記憶部４０は、例えば半導体メモリや磁気記憶ユニットなどで構成された記憶装置であり、制御プログラムや電話帳などのデータ、着信拒否相手の情報などを記憶している。
【００４８】
次に、図３を参照して、本実施形態の携帯電話機１０のスライド構造について説明する。図３は、携帯電話機１０の外観の一例を示す図であり、図３（ａ）は、上述のように、非スライド状態の携帯電話機１０の外観を示している。携帯電話機１０は、非スライド状態においては、待受モードと呼ばれる動作状態となる。一方、図３（ｂ）は、スライド状態の携帯電話機１０の外観を示している。携帯電話機１０は、非スライド状態においては、通話モードと呼ばれる動作状態となる。なお、図３（ｃ）は、非スライド状態（待受モード）の携帯電話機１０の側面図である。
【００４９】
なお、本実施形態において、待受モードとは、着信待受状態でそのままでは通話できない状態を指し、通話モードとは、電話回線網を通じて通話が可能な状態を指すものと定義する。待受モードでは、基本的に各操作部からの操作入力は無効な状態とし、表示部２０に何も表示せず、アラームや着信音などは携帯電話機１０の背後に配置されたスピーカから音声を出力する状態である。通話モードは、通話用の状態で、通話やメール送信などの携帯電話機１０の各種機能が使用可能な状態であり、表示部２０に表示が行われ、各操作部からの操作入力が有効な状態である。
【００５０】
図３（ｃ）の側面図に示すように、携帯電話機１０は、第２筐体１４の上に第１筐体１２が載せられ、図示しないスライド接続部１６（第１筐体１２または第２筐体１４の内部に搭載）を介して、同図の左右方向（図３（ａ）および図３（ｂ）の上下方向）にスライド可能に接続されている。第１筐体１２の上には、さらに、タッチパネルで構成された第１操作部２２が載せられている。
【００５１】
図３（ａ）および図３（ｂ）に示すように、タッチパネルで構成された第１操作部２２は第１筐体１２の面積の大半を占め、第１筐体１２をスライドさせる際には、タッチパネルで構成された第１操作部２２に指を押し当てて操作する。
【００５２】
なお、本実施形態では、第１筐体１２のスライド移動範囲は、第２筐体１４をはみ出さない範囲内で上下するものとしている。また、第１筐体１２がスライドしてずれた下側には、第２筐体１４の第２操作部２４が配置されており、第１筐体１２を上にスライドさせることによって、第２操作部２４がユーザから操作可能な状態に露出する構成となっている。
【００５３】
また、図３（ｂ）では、第２操作部２４として、通話に関する基本的な機能を実現する（着信、切断、保留、電源キーなど）の最小限のキーのみで構成し、数字キーやその他の機能はタッチパネルで構成された第１操作部２２から入力させる構成としているが、これに限るものではない。第２操作部２４に、数字キーや、記号キー、各種機能キーなどを搭載してもよい。
【００５４】
なお、携帯電話機１０は、スライド型のものであればよく、図３（ａ）〜（ｃ）の例に限られない。例えば、第１筐体１２は、第２筐体１４からはみ出す位置までスライドするようになっていてもよい。この場合には、スライドすることによって、携帯電話機１０が外観上伸張した状態となる。また、第１筐体１２と第２筐体１４は、上記特許文献４に記載されているような、１つ以上の回転板を用いて、円弧軌道で互いにスライドする構造であってもよい。
【００５５】
次に、図４を参照して、携帯電話機１０で行われる処理の流れについて説明する。図４は、携帯電話機１０で着呼があった場合に行う処理の流れを示すフローチャートである。
【００５６】
一連の処理は、電話網通信部５０を介して他の電話機から着呼を受けた状態から開始される（Ｓ１００）。処理が開始されると、Ｓ１０１において、状態検出部２８は、携帯電話機１０が非スライド状態（待受モード）であるか、スライド状態（通話モード）であるかを判断する。通話モードの場合、処理はＳ１０２へ進む。待受モードの場合、処理はＳ１０３へ進む。
【００５７】
Ｓ１０２において、携帯電話機１０の制御部３０は、通話モードの現在の設定に従って、ユーザからのタッチパネル（第１操作部２２）やキー（第２操作部２４）を利用した着信および通話の処理や着信拒否の処理などを実行する。
【００５８】
Ｓ１０３において、携帯電話機１０の制御部３０は、状態検出部２８で検出される筐体の状態の検出結果に基づいて、現在の待受モードからの状態遷移を監視する。状態が変化しない場合（Ｓ１０３で「変化なし」）、処理はＳ１０３に戻って状態遷移の監視を繰り返す。状態が通話モードへ遷移した場合、つまりスライド状態への遷移が検出された場合、処理はＳ１０４へ進む（Ｓ１０３で「通話モードへの移行」）。
【００５９】
「通話モードへの移行」したときには、制御部３０は、着信相手の電話番号等を表示部２０に表示させてもよい。これにより、ユーザは、着信相手を知ることができる。また、Ｓ１００で着呼を受けた状態で、制御部３０は、図示していないサブディスプレイに着信相手の電話番号等を表示させてもよい。
【００６０】
Ｓ１０４において、携帯電話機１０の状態検出部２８は、第１操作部２２のタッチパネルへの入力状態の確認を行う。第１操作部２２のタッチパネルへの操作入力がなかった場合（Ｓ１０４で「なし」）、処理はＳ１０５へ進む。第１操作部２２への操作入力があった場合（Ｓ１０４で「あり」）、処理はＳ１０６へ進む。
【００６１】
Ｓ１０５において、携帯電話機１０の制御部３０は、Ｓ１０３で通話モードへの移行、言い換えれば、非スライド状態からスライド状態への遷移を検出しているので、電話網通信部５０に着呼に応答する処理を実行させる。すなわち、従来と同様に着信に対して応答する通話処理を行う。この処理は、着呼があった際に筐体をスライドさせることで、着呼に対して通話を開始する従来の携帯電話機で行われていた処理と同様である。
【００６２】
Ｓ１０６において、携帯電話機１０の状態検出部２８は、Ｓ１０４で確認したタッチ入力情報をキャンセルする。つまり、状態検出部２８は、スライド接続部１６からの入力が「スライド状態」に遷移したことを検出した場合（Ｓ１０３で「通話モードに移行」）に、第１操作部２２からの操作入力を検出したとき（Ｓ１０４で「あり」）に、当該第１操作部２２からの操作入力を無効にする処理を行う。
【００６３】
これは、着呼時における第１操作部２２に対する入力が、ユーザが意図した操作入力ではなく、スライド状態にするための操作である可能性が高いためである。筐体同士をスライドさせる場合、ユーザは第１操作部２２のタッチパネルの押さえ易い部分（例えばタッチパネルの端部や中央部付近）を指で押さえて力を加え、指とタッチパネル表面との摩擦で筐体をスライドさせる。
【００６４】
このとき、筐体が「スライド状態」に移行することにより、タッチパネルからの操作入力が有効になる。このため、第１操作部２２は、ユーザが筐体をスライドさせるために指で触れたタッチパネルの部分からの入力を操作入力として受け取ってしまう。
【００６５】
そこで、携帯電話機１０では、筐体が「非スライド状態」から「スライド状態」に変化した場合に、第１操作部２２のタッチパネルに対して操作入力が行われている「入力状態」であることが検出されたときには、ユーザによって一度指が離されるまで（Ｓ１０７）、第１操作部２２に対する操作入力を無効にしている。上記構成によって、ユーザによるスライドのためのタッチパネルへの操作入力を誤入力として受け取ることなく、着信処理を行うことができる。
【００６６】
Ｓ１０７において、状態検出部２８は、第１操作部２２のタッチパネルへの操作入力がある「入力状態」であるか、操作入力がある状態から操作入力が無い「非入力状態」に変化したかを検出する。操作入力がある場合（Ｓ１０７で「あり（変化なし）」）、処理はＳ１０８へ進む。操作入力が「非入力状態」に変化した場合（Ｓ１０７で「タッチ入力の喪失（指がタッチ面から離れる）」）、処理はＳ１０５に進み、着信処理を行う。
【００６７】
Ｓ１０８において、状態検出部２８は、携帯電話機１０の筐体の状態が変化したか否かを検出する。携帯電話機１０の筐体の状態が通話モードである「スライド状態」から変化がない場合（Ｓ１０８で「変化なし」）、処理はＳ１０７に戻り、第１操作部２２のタッチパネルへのタッチ状態を確認する処理を行う。携帯電話機１０の筐体の状態が通話モードである「スライド状態」から、待受モードである「非スライド状態」に変化した場合（Ｓ１０８で「待受モードへの移行」）、処理はＳ１０９へ進む。
【００６８】
Ｓ１０９において、携帯電話機１０の制御部３０は、電話網通信部５０に、着信した通話に対して着信拒否する処理を行わせる。なお、筐体の「非スライド状態」への変化による着信拒否を行う処理としては、留守番電話に切り換えたり、着信拒否用のメッセージを流したり、所定のメールを送信する処理などを行ってもよい。すなわち、着呼した相手からの通話に応答せず、通話以外のその他の機能を実行する構成であれば、どのような処理であってもよい。また、着呼した通信相手の電話番号を自動的に着信拒否する電話番号のリストに追加してもよい。
【００６９】
上記の手順を繰り返すことによって、携帯電話機１０は、着呼に対して応答する一連の処理を実行する。これによって、スライド構造を備えた携帯電話機１０が着信に対して応答する際に、ユーザが第１操作部２２のタッチパネルを押さえて第１筐体１２をスライドさせることで、第１操作部２２から誤入力が入力されてしまうことを防止することができる。
【００７０】
なお、本実施形態では、携帯電話機１０として、図３（ａ）や図３（ｂ）に示すように、タッチパネルで構成された第１操作部２２を備えた第１筐体１２を、第２筐体１４に対して上下方向にスライドさせる構成として説明したが、これに限るものではない。第１筐体１２を、左右のいずれか一方、または、両方にスライドさせる構成であってもよい。
【００７１】
また、本実施形態では、第２操作部２４として、通話に関する少数のキーのみを備える構成としたが、これに限るものではない。第２操作部２４として、いわゆるＱＷＥＲＴＹキーボードとよばれるフルキーボードを適用してもよい。ＱＷＥＲＴＹキーボードは、横長であるから、この場合には、上述のように、第１筐体１２を第２筐体１４に対して左右にスライドさせる構成とすることが望ましい。さらに、第１筐体１２を第２筐体１４に対して上下にスライドさせるとともに、左右にもスライドできる構成として、第２筐体１４の下側部分（上向きのスライドで露出する部分）に通話に関する少数のキーを備え、第２筐体１４の右側または左側部分（左右のスライドで露出する部分）に横向きにＱＷＥＲＴＹキーボードを備える構成としてもよい。
【００７２】
以上のように、本実施形態の携帯電話機１０は、タッチパネルによる第１操作部２２を備えた第１筐体１２が第２筐体１４に対してスライド可能に接続された携帯電話機１０であって、第２筐体１４に対して第１筐体１２がスライドしていない非スライド状態から、第２筐体１４に対して第１筐体１２がスライドしたスライド状態への遷移を検出するスライド状態検出部２７と、第１操作部２２のタッチパネルにおいて操作入力が行われている入力状態を検出する入力状態検出部２９と、電話網通信部５０が他の電話機からの着呼を受けた際に、スライド状態検出部２７が前記非スライド状態から前記スライド状態への遷移を検出した場合、入力状態検出部２９が前記入力状態を検出したとき、第１操作部２２からの操作入力を無効化する制御部３０とを備えている。
【００７３】
また、本実施形態の制御方法は、第１操作部２２を備えた第１筐体１２が第２筐体１４に対してスライド可能に接続された携帯電話機１０の制御方法であって、第２筐体１４に対して第１筐体１２がスライドしていない非スライド状態から、第２筐体１４に対して第１筐体１２がスライドしたスライド状態への遷移を検出するスライド状態検出ステップと、第１操作部２２において操作入力が行われている入力状態を検出する入力状態検出ステップとを含み、さらに、電話網を介して他の電話機からの着呼を受けた際に、前記スライド状態検出ステップにて前記非スライド状態から前記スライド状態への遷移を検出した場合、前記入力状態検出ステップにて前記入力状態を検出したとき、第１操作部２２からの操作入力を無効化する無効化ステップを含んでいる。
【００７４】
上記の構成によれば、電話網を介して他の電話機からの着呼を受けた際に、筐体のスライド状態、および、タッチパネルの入力状態を検出し、スライド状態への遷移を検出した場合、入力状態を検出したとき、第１操作部２２のタッチパネルからの操作入力を無効化している。これによって、スライド構造を備えた携帯電話機１０において着信に対して応答する際に、ユーザが第１操作部２２のタッチパネルを押さえて筐体をスライドさせることによる、第１操作部２２からの誤入力を防止することができる。
【００７５】
上記の携帯電話機１０では、制御部３０は、第１操作部２２のタッチパネルからの操作入力を無効化した後に、さらに、入力状態検出部２９が前記入力状態を検出しなくなった場合、電話網通信部５０に前記着呼に応答する処理を実行させている。
【００７６】
上記の構成によれば、他の電話機からの着呼を受けた際に、スライド状態への遷移を検出した場合、入力状態を検出したとき、すなわち、ユーザがタッチパネルを指で押さえて筐体をスライドさせた状態から、ユーザがタッチパネルから指を離した場合に、着呼に応答する処理、具体的には、オフフック状態にして通話を開始するなどの処理を実行する。これによって、ユーザが筐体をスライドさせる際にタッチパネルのどのような位置を触っても、タッチパネルから指を離した時点で、着呼に応答する処理を確実に行うことができる。
【００７７】
上記の携帯電話機１０では、制御部３０は、第１操作部２２のタッチパネルからの操作入力を無効化した後に、さらに、スライド状態検出部２７が前記スライド状態を検出しなくなった場合、電話網通信部５０に前記着呼に対して着信拒否を行う処理を実行させている。
【００７８】
上記の構成によれば、スライド状態への遷移を検出した場合、入力状態を検出したとき、すなわち、ユーザがタッチパネルを指で押さえて筐体をスライドさせた状態（スライド状態）から、前記スライド状態が検出されない状態、すなわち、ユーザがタッチパネルを指で押さえたまま筐体を再びスライドさせていない状態（非スライド状態）に戻した場合、着呼を受けている通話の着信拒否を行う処理を実行する。
【００７９】
これによって、ユーザが筐体をスライドさせる際にタッチパネルのどのような位置を触っても、触れている間のタッチパネルに対する入力を無効化しておき、筐体を元に戻した時点で、着呼に対して着信拒否する処理を確実に行うことができる。したがって、ユーザは電話番号の表示や着信音によって着信相手を確認したうえで、着呼に対して応答するか否かを携帯電話機１０をスライドさせた状態のままで考慮した上で、着信拒否の処理を実行することができる。それゆえ、着信拒否を単純な操作で実行すると共に、携帯電話機１０をスライドしていない通常の状態（非スライド状態）に戻すことができる。
【００８０】
なお、筐体の「非スライド状態」への変化による着信拒否を行う処理としては、留守番電話に切り換えたり、着信拒否用のメッセージを流したり、所定のメールを送信する処理などを行ってもよい。着呼した相手からの通話に応答せず、通話以外のその他の機能を実行する構成であれば、どのような処理であってもよい。また、着呼した通信相手の電話番号を自動的に着信拒否する電話番号のリストに追加してもよい。
【００８１】
本発明は上述した実施形態に限定されるものではなく、請求項に示した範囲で種々の変更が可能であり、実施形態に開示された技術的手段を適宜組み合わせて得られる実施形態についても本発明の技術的範囲に含まれる。
【００８２】
最後に、携帯電話機１０の各ブロック、特に、状態検出部２８および制御部３０は、ハードウェアロジックによって構成してもよいし、次のようにＣＰＵを用いてソフトウェアによって実現してもよい。
【００８３】
すなわち、携帯電話機１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機１０の制御プログラムのプログラムコード（実行形式プログラム、中間コードプログラム、ソースプログラム）をコンピュータで読み取り可能に記録した記録媒体を、上記データ携帯電話機１０に供給し、そのコンピュータ（またはＣＰＵやＭＰＵ）が記録媒体に記録されているプログラムコードを読み出し実行することによっても、達成可能である。
【００８４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８５】
また、携帯電話機１０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００８６】
本発明は、タッチパネルがスライドする構造を備えた携帯電話機において着信に対して応答する際に誤入力が入力されてしまうことを防止することができるので、スライド型の携帯電話機、ＰＤＡ（Personal Digital Assistant）、通信装置、ノートＰＣ（Personal Computer）、およびその他の電子機器に好適に利用することができる。
【符号の説明】
【００８７】
１０    携帯電話機
１２    第１筐体
１４    第２筐体
２０    表示部
２２    第１操作部
２４    第２操作部
２６    音声入出力部
２７    スライド状態検出部（スライド状態検出手段）
２８    状態検出部（状態検出手段）
２９    入力状態検出部（入力状態検出手段）
３０    制御部（制御手段）
３２    ＣＰＵ
３４    ＲＡＭ
３６    ＲＯＭ
４０    記憶部
５０    電話網通信部（電話網通信手段）
【図１】
0005611550.tif 000002
【図２】
0005611550.tif 000003
【図３】
0005611550.tif 000004
【図４】
0005611550.tif 000005